(57)【要約】      （修正有）【課題】スマート充／放電を実現できるスマートモバイル電源装置を提供する。【解決手段】スマートモバイル電源装置１は、外付けの給電装置２と電気的に連接するインプットインターフェース１１、インプットインターフェース１１と電気的に連接する充電回路ユニット１２、充電回路ユニット１２と電気的に連接するコントロールユニット１３、充電回路ユニット１２、コントロールユニット１３と電気的に連接する蓄電ユニット１４、蓄電ユニット１４、コントロールユニット１３と電気的に連接する放電回路ユニット１５、外付けのバックエンド装置３と電気的に連接するアウトプットインターフェース１６を備える。しかも、アウトプットインターフェース１６とバックエンド装置３との間には、一本のプラス電源コード１１１、一本のマイナス電源コード１１２、一本或いは一本以上のデータ伝送線１１３を連接する。【選択図】図１
0003193052.tif 000002
【実用新案登録請求の範囲】
【請求項１】
スマート充／放電を実現できるスマートモバイル電源装置であって、インプットインターフェース、充電回路ユニット、コントロールユニット、蓄電ユニット、放電回路ユニット、アウトプットインターフェースを備え、
前記インプットインターフェースは、スマートモバイル電源装置に露出し、外付けの給電装置と電気的に連接可能な挿入ポートで、
前記充電回路ユニットは、前記インプットインターフェースと電気的に連接し、
前記コントロールユニットは、前記充電回路ユニットと電気的に連接し、
前記蓄電ユニットは、前記充電回路ユニット、前記コントロールユニットと電気的に連接し、
前記放電回路ユニットは、前記蓄電ユニット、前記コントロールユニットと電気的に連接し、
前記アウトプットインターフェースは、モバイルバッテリー装置に露出し、外付けのバックエンド装置と電気的に連接可能な挿入ポートで、しかも前記アウトプットインターフェースとバックエンド装置との間には、一本のプラス電源コード、一本のマイナス電源コード、一本或いは一本以上のデータ伝送線を連接し、前記アウトプットインターフェースはさらに、放電回路ユニットと電気的に連接することを特徴とするスマートモバイル電源装置。
【請求項２】
前記データ伝送線は、前記給電装置、前記インプットインターフェース、前記コントロールユニット、前記アウトプットインターフェースと前記バックエンド装置の間に連接することを特徴とする請求項１に記載のスマートモバイル電源装置。
【請求項３】
前記コントロールユニットは、対応するデータに基づき、充電或いは放電の数値を決定し、自動的に調整することを特徴とする請求項１に記載のスマートモバイル電源装置。
【請求項４】
前記スマートモバイル電源装置にはさらに、電源スイッチを設置することを特徴とする請求項１に記載のスマートモバイル電源装置。
【請求項５】
前記インプットインターフェースと給電装置との間には、一本のプラス電源コード、一本のマイナス電源コード、一本或いは一本以上のデータ伝送線を連接することを特徴とする請求項１に記載のスマートモバイル電源装置。
【請求項６】
前記インプットインターフェースと前記アウトプットインターフェースとは、共用構造で、一個のインプット及びアウトプットインターフェースを組成することを特徴とする請求項１に記載のスマートモバイル電源装置。
【考案の詳細な説明】
【技術分野】
【０００１】
本考案は、スマートモバイル電源装置に関し、インプット或いはアウトプットの必要に応じて、電圧或いは電流を自動的に変化させられるモバイルバッテリーであるスマートモバイル電源装置に関する。
【背景技術】
【０００２】
近年、スマートフォン、タブレットＰＣ、ゲーム機、電子書籍、ＧＰＳシステム、ノート型ＰＣ等の携帯端末が、広く消費者に受け入れられている。
これら携帯端末の多くは、バッテリーを内蔵し、必要な電力を供給している。
【０００３】
しかし、内蔵のバッテリー電力を使い切ってしまうと、充電器を利用し内蔵バッテリーに対して充電を行う必要がある。
その際には、充電器を壁面コンセントに挿入しなければならないため、外出時には充電を行うことができない。
【０００４】
上記した状況に対応するため、モバイルバッテリーが開発された。
モバイルバッテリーは、バッテリーを内蔵し、しかも電気エネルギーアウトプットとインプットの機能を備える。
消費者は、モバイルバッテリーを利用し、充電、或いは電気エネルギーの出力を行い携帯端末に充電することができる。
【考案の概要】
【考案が解決しようとする課題】
【０００５】
しかし、上述した考案は使用上に欠点があり、改善する必要がある。その原因は下記の通りである。
【０００６】
上述した既存のモバイルバッテリーの電圧のインプットとアウトプットは、２種の異なる規格のインターフェース構造設計を採用しているため、消費者は外出時に数本の異なる構造のケーブルを携帯しなければ使用できず、使用において非常に面倒かつ不便である。
【０００７】
本考案は、上述の問題に鑑みてなされたものであり、その第一の目的は、共用の構造インターフェースを採用するため、消費者は外出時にたくさんのケーブルを携帯する必要がなく、携帯荷物を軽減でき、使用の利便性を向上させられるスマートモバイル電源装置を提供することにある。
【０００８】
本考案は、上述の問題に鑑みてなされたものであり、その第二の目的は、充電或いは放電すべき数値を決定し自動的に調整できるため、スマート充／放電の目的を達成できるスマートモバイル電源装置を提供することにある。
【課題を解決するための手段】
【０００９】
本考案によるスマートモバイル電源装置は、インプットインターフェース、充電回路ユニット、コントロールユニット、蓄電ユニット、放電回路ユニットとアウトプットインターフェースを備える。
インプットインターフェースは、スマートモバイル電源装置において露出する挿入ポートで、外付けの給電装置と電気的に連接することができる。
しかも、インプットインターフェースと給電装置との間には、一本のプラス電源コード、一本のマイナス電源コード、一本或いは一本以上のデータ伝送線を連接する。
充電回路ユニットは、インプットインターフェースと電気的に連接する。
しかも、充電回路ユニットはさらに、コントロールユニット、蓄電ユニット、放電回路ユニットと電気的に連接する。
コントロールユニットは、充電回路ユニットと電気的に連接する。
蓄電ユニットは、充電回路ユニット、コントロールユニットと電気的に連接する。
放電回路ユニットは、蓄電ユニット、コントロールユニットと電気的に連接する。
アウトプットインターフェースは、スマートモバイル電源装置において露出する挿入ポートで、外付けのバックエンド装置と電気的に連接する。
しかも、アウトプットインターフェースとバックエンド装置との間には、一本のプラス電源コード、一本のマイナス電源コード、一本或いは一本以上のデータ伝送線を連接する。
アウトプットインターフェースはさらに、放電回路ユニットと電気的に連接する。
各データ伝送線は、給電装置、インプットインターフェース、コントロールユニット、アウトプットインターフェースとバックエンド装置の間に連接する。
【００１０】
コントロールユニットは、対応するデータに基づき、充電或いは放電の数値を決定し、自動的に調整することができる。
スマートモバイル電源装置にはさらに、電源スイッチを設置する。
インプットインターフェースとアウトプットインターフェースとは、共用構造で、一個のインプット及びアウトプットインターフェースを組成する。
【００１１】
本考案のスマートモバイル電源装置において、そのインプットとアウトプットは共に共用の構造インターフェースを採用するため、インプットインターフェースとアウトプットインターフェースとを共用構造とし、一個のインプット及びアウトプットインターフェースを組成する。
これにより、消費者は外出時にたくさんのケーブルを携帯する必要がなくなり、携帯荷物を軽減でき、使用の利便性を向上させることができる。
【００１２】
さらに、スマートモバイル電源装置は少なくともインプットインターフェース、アウトプットインターフェース、コントロールユニットを備え、インプットインターフェース、アウトプットインターフェースにそれぞれ設置するデータ伝送線を通して、コントロールユニットに連接するため、コントロールユニットは、対応するデータに基づき充電或いは放電の数値を決定し、自動的に調整でき、スマート充／放電の目的を達成することができる。
【図面の簡単な説明】
【００１３】
【図１】本考案の構造ブロックチャートである。
【図２】本考案充電時の構造ブロックチャートである。
【図３】本考案放電時の構造ブロックチャートである。
【図４】本考案実施時の外観模式図である。
【図５】本考案の他の実施形態の外観模式図である。
【考案を実施するための形態】
【００１４】
（一実施形態）
本考案の一実施形態によるスマートモバイル電源装置を図面に基づいて説明する。
図１に示すように、本考案のスマートモバイル電源装置１は、インプットインターフェース１１、充電回路ユニット１２、コントロールユニット１３、蓄電ユニット１４、放電回路ユニット１５、アウトプットインターフェース１６を備える。
【００１５】
インプットインターフェース１１は、スマートモバイル電源装置１において露出する挿入ポートで、外付けの給電装置２と電気的に連接することができる。
しかも、インプットインターフェース１１と給電装置２との間には、一本のプラス電源コード１１１、一本のマイナス電源コード１１２、一本或いは一本以上のデータ伝送線１１３を連接する。
【００１６】
充電回路ユニット１２は、インプットインターフェース１１と電気的に連接する。
しかも、充電回路ユニット１２はさらに、コントロールユニット１３、蓄電ユニット１４、放電回路ユニット１５と電気的に連接する。
【００１７】
充電回路ユニット１２は、蓄電ユニット１４を利用し充電を行う。
コントロールユニット１３は、コントロール作用を備える。
蓄電ユニット１４は、電気エネルギー蓄積の機能を備える。
放電回路ユニット１５は、蓄電ユニット１４の電気エネルギーを放電する性能を備える。
【００１８】
アウトプットインターフェース１６は、スマートモバイル電源装置１において露出する挿入ポートで、外付けのバックエンド装置３と電気的に連接する。
しかも、アウトプットインターフェース１６とバックエンド装置３との間には、一本のプラス電源コード１１１、一本のマイナス電源コード１１２、一本或いは一本以上のデータ伝送線１１３を連接する。
アウトプットインターフェース１６はさらに、放電回路ユニット１５と電気的に連接する。
【００１９】
各データ伝送線１１３は、給電装置２、インプットインターフェース１１、コントロールユニット１３、アウトプットインターフェース１６とバックエンド装置３との間に連接する。
【００２０】
図２に示すように、本考案において充電を行う時には、給電装置２とインプットインターフェース１１とを電気的に連接し、各データ伝送線１１３を利用し、コントロールユニット１３は、対応するデータに基づき充電の数値を決定し、自動的に調整し、最も理想的な作動状態を得ることができる。
【００２１】
図３に示すように、本考案において放電を行う時には、バックエンド装置３とアウトプットインターフェース１６とを電気的に連接し、各データ伝送線１１３を利用し、コントロールユニット１３は、対応するデータに基づき放電の数値を決定し自動的に調整し、最も理想的な作動状態を得ることができる。
【００２２】
本考案を実際に実施する際の構造外観形態図である図４に示すように、モバイルバッテリー装置１外部には、電源スイッチ１７を設置し、こうしてオン／オフをコントロールすることができる。
【００２３】
前記の実施形態において、インプットインターフェース１１とアウトプットインターフェース１６とは共用構造で、図５に示すように、インプット及びアウトプットインターフェース１８を設置する。
既存の技術では、電源線もデータを伝送できるため、本考案中のデータ伝送線も、プラス電源コードとマイナス電源コードを共用することができる。
【００２４】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００２５】
１      モバイルバッテリー装置、
１１    インプットインターフェース、
１１１  プラス電源コード、
１１２  マイナス電源コード、
１１３  データ伝送線、
１２    充電回路ユニット、
１３    コントロールユニット、
１４    蓄電ユニット、
１５    放電回路ユニット、
１６    アウトプットインターフェース、
１７    電源スイッチ、
１８    インプット及びアウトプットインターフェース、
２      給電装置、
３      バックエンド装置。
【図１】
0003193052.tif 000003
【図２】
0003193052.tif 000004
【図３】
0003193052.tif 000005
【図４】
0003193052.tif 000006
【図５】
0003193052.tif 000007